(57)【要約】【課題】ＨＤＭＩ規格により伝送された信号を受信した場合、外部接続機器の種類によっては、ユーザーが最適な画角と画質にするために受信機器側の設定を変更する必要があった。【解決手段】ＨＤＭＩ規格に準拠したデジタル伝送バスが接続されるＨＤＭＩコネクタと、ＨＤＭＩコネクタを介して受信されたデジタル信号から映像信号をデコード処理して、第１の映像信号を復元するとともに、受信されたデジタル信号に接続機器情報が含まれている場合にそれを抽出して出力するＨＤＭＩ信号処理部と、接続機器情報に応じてディスプレイへのスキャンサイズを自動設定する制御部と、セレクタが第１の映像信号を選択し、接続機器情報が抽出されたときに、接続機器情報に応じてディスプレイへの画質設定を最適な画質に自動設定する画質処理部とを具備し、自動的に表示画像のスキャンサイズを設定し、最適な画質設定を自動で行うことができる。【選択図】図１
2009044400.tif 000002
【特許請求の範囲】
【請求項１】
ＨＤＭＩ規格に準拠したデジタル伝送バスが接続されるＨＤＭＩコネクタと、前記ＨＤＭＩコネクタを介して受信されたデジタル信号から映像信号をデコード処理して、第１の映像信号を復元するとともに、前記受信されたデジタル信号のＣＥＣ制御ラインを用いて送信された接続機器情報を抽出して出力するＨＤＭＩ信号処理部と、放送信号を受信処理した映像信号を含む第２の映像信号と、前記第１の信号が入力され、いずれか１つの映像信号を選択するセレクタと、前記セレクタによって選択出力された映像信号による画像を表示するためのディスプレイと、前記セレクタが前記第１の映像信号を選択し、前記接続機器情報が抽出されたときに、前記接続機器情報に応じて前記ディスプレイへのスキャンサイズを自動設定する制御部と、前記セレクタが前記第１の映像信号を選択し、前記接続機器情報が抽出されたときに、前記接続機器情報に応じて前記ディスプレイへの画質設定を最適な画質に自動設定する画質処理部と、を備えた画像表示装置。
【請求項２】
前記受信されたデジタル信号に含まれるＣＥＣ制御ラインによって通知される接続機器情報には、機器種別情報が含まれており、前記制御部は、前記ＨＤＭＩ信号処理部によって抽出した機器種別情報に応答して前記ディスプレイに表示される画像のオーバースキャンを設定することを特徴とする請求項１記載の画像表示装置。
【請求項３】
前記受信されたデジタル信号に含まれるＣＥＣ制御ラインによって通知される接続機器情報には、機器種別情報が含まれており、前記制御部は、前記ＨＤＭＩ信号処理部によって抽出した機器種別情報に応答して前記ディスプレイに表示される画像の最適な画質を設定することを特徴とする請求項１記載の画像表示装置。
【発明の詳細な説明】
【技術分野】
【０００１】
本発明は、放送信号を受信して得た映像信号、及びデジタルインターフェースによる信号入力端子からの映像信号による画像を選択的に表示可能にした画像表示装置に係り、特に画像のスキャンサイズと画質設定を自動で最適に表示することを可能にした画像表示装置に関するものである。
【背景技術】
【０００２】
周知のように、デジタル映像信号を伝送するための規格として、ＤＶＩ（Ｄｉｇｉｔａｌ  Ｖｉｓｕａｌ  Ｉｎｔｅｒｆａｃｅ）規格が普及している。そして、近年では、このＤＶＩ規格をさらに改良したデジタル信号伝送規格として、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格が採用されるようになってきている。
【０００３】
このＨＤＭＩ規格には、例えば、デジタル映像信号のブランキング期間にデジタル音声信号を多重化して音声伝送を行うことが可能であること、デジタル信号をＲ，Ｇ，Ｂ形式の他に色差（Ｙ，Ｃｂ，Ｃｒ）形式で伝送することが可能であること、ＵＳＢ（Ｕｎｉｖｅｒｓａｌ  Ｓｅｒｉａｌ  Ｂｕｓ）ライクの小型のＨＤＭＩコネクタで接続することが可能であること等、ＤＶＩ規格にない種々の規定が盛り込まれている。
【０００４】
したがって、最近では、テレビジョン信号受信機にＨＤＭＩ用の入力端子を設け、この入力端子に外部機器からＨＤＭＩ規格に準拠したデジタル信号を供給可能にしたものもある。なお、このような外部機器としては、例えばＤＶＤ（Ｄｉｇｉｔａｌ  Ｖｅｒｓａｔｉｌｅ  Ｄｉｓｋ）プレーヤ、ＤＶＤレコーダ、ＳＴＢ（セットトップボックス、Ｓｅｔ  ｔｏｐ  Ｂｏｘ）、ハイビジョンムービー、ＰＣ（パーソナルコンピュータ、Ｐｅｒｓｏｎａｌ  Ｃｏｍｍｐｕｔｅｒ）などがあり、このような外部機器とテレビジョン信号受像機とをＨＤＭＩコネクタを介して接続するようにしている。
【０００５】
これらのＨＤＭＩコネクタを介して外部機器と接続されたテレビジョン信号受像機の使用者は、テレビジョン信号受像機に接続された複数の外部接続機器を選択する場合、その度に、スキャンサイズや画質設定などを手動で変更している。このことにより、テレビジョン信号受像機は、適切に画像情報を表示している。例えば、この使用者は、ＧＵＩ（ｇｒａｐｈｉｃａｌ  ｕｓｅｒ  ｉｎｔｅｒｆａｃｅ）等のインターフェイスを用いることにより、テレビジョン受像機器のスキャンサイズと画質の設定を手動で行っている。
【０００６】
また、特許文献１には、ＨＤＭＩコネクタを介して受信されたデジタル信号から抽出したアスペクト情報等の表示関連情報に応じて、受信側の表示モードを自動設定する構成が開示されているが、外部接続機器の種類を自動判別したり、スキャンサイズ、画質設定を自動設定したりすることは考慮されていない。
【特許文献１】特開２００６−１０８７５０号公報
【発明の開示】
【発明が解決しようとする課題】
【０００７】
上記したようなＨＤＭＩ規格により伝送された映像信号を受信し画像を表示するテレビジョン信号受像機は、接続される接続機器がＤＶＤプレーヤ、ＤＶＤレコーダ、ＳＴＢなどが大半である。そのため、動画像を表示することをメインに考慮されているため、オーバースキャン設定と、コントラスト感、メリハリ感を重視した画質設定となっている。そして、そのテレビジョン信号受像機に、ＰＣなどのテキストや幾何学図形を表示する場合、オーバースキャン設定のために表示領域が欠けたり、階調や細い線がつぶれたりと、ＰＣ画像に対して最適なスキャンサイズや画質にはなっていない。
【０００８】
本発明は上記した点に鑑み、外部接続機器を判別し、スキャンサイズと画質を外部接続機器に対して最適に設定することを可能とする画像表示装置を提供することを目的とする。
【課題を解決するための手段】
【０００９】
本発明はこのような問題点を解決するためになされた画像表示装置であって、ＨＤＭＩ規格に準拠したデジタル伝送バスが接続されるＨＤＭＩコネクタと、前記ＨＤＭＩコネクタを介して受信されたデジタル信号から映像信号をデコード処理して、第１の映像信号を復元するとともに、前記受信されたデジタル信号に接続機器情報が含まれている場合にそれを抽出して出力するＨＤＭＩ信号処理部と、放送信号を受信処理した映像信号を含む第２の映像信号と、前記第１の映像信号が入力され、いずれか１つの映像信号を選択出力するセレクタと、前記セレクタによって選択出力された映像信号による画像を表示するためのディスプレイと、前記セレクタが前記第１の映像信号を選択し、前記接続機器情報が抽出されたときに、前記接続機器情報に応じて前記ディスプレイへのスキャンサイズを自動設定する制御部と、前記セレクタが前記第１の映像信号を選択し、前記接続機器情報が抽出されたときに、前記接続機器情報に応じて前記ディスプレイへの画質設定を最適な画質に自動設定する画質処理部とを具備したことを特徴とする。
【００１０】
また、本発明は上記したような問題点を解決するためになされた画像表示装置であって、ＨＤＭＩ規格に準拠したデジタル信号バスを介して受信されたデジタル信号から映像信号をデコード処理して、第１の映像信号を復元するとともに、前記受信されたデジタル信号のＣＥＣ制御ラインに接続機器情報が含まれている場合にそれを抽出する工程と、放送信号を受信処理した映像信号を含む第２の映像信号と、前記第１の映像信号が入力され、いずれか１つの映像信号を選択出力する工程と、前記第１の映像信号が選択出力されたときには、前記抽出された接続機器情報に応答してディスプレイでのスキャンサイズを自動設定する工程と、前記第１の映像信号が選択出力されたときには、前記抽出された接続機器情報に応答してディスプレイでの最適な画質設定を自動設定する工程とを含むことを特徴とする。
【発明の効果】
【００１１】
本発明によれば、ＨＤＭＩコネクタを介して受信されたデジタル信号から抽出した外部接続機器情報に応答して、自動的に表示画像のスキャンサイズを設定し、最適な画質設定を自動で行うことが出来る画像表示装置を実現することが出来る。
【発明を実施するための最良の形態】
【００１２】
以下本発明を実施するための最良の形態について、図面を参照しながら説明する。
【００１３】
（実施の形態１）
図１は、本発明の実施の形態１における画像表示装置のブロック図を示している。この画像表示装置１１は、テレビジョン放送信号を受信する機能と、アナログ映像を受信する機能と、ＨＤＭＩ規格に準拠したデジタル映像信号を受信する機能とを有している。
【００１４】
すなわち、テレビジョン放送信号は、アンテナ１２で受信され、入力端子１３を介してテレビジョン信号処理部１４に供給される。このテレビジョン信号処理部１４は、入力されたテレビジョン放送信号からチューナ部１４ａにより所定のチャンネルの信号を取り出し、信号処理部１４ｂにより映像信号を復元して、セレクタ１５に出力している。
【００１５】
また、アナログ映像信号は、ＡＶ（Ａｕｄｉｏ  Ｖｉｄｅｏ）入力端子１６で受信され、ＡＤ変換部２８でデジタル信号へ変換された後、セレクタ１５に入力される。
【００１６】
さらに、外部接続機器Ａ１７からＨＤＭＩ規格に準拠したデジタル伝送バス１８を介して供給されるデジタル映像信号は、ＨＤＭＩコネクタ１９で受信され、外部接続機器Ｂ２２からＨＤＭＩ規格に準拠したデジタル伝送バス２９を介して供給されるデジタル映像信号は、ＨＤＭＩコネクタ３０で受信され、ＨＤＭＩ信号処理部２０に供給される。このＨＤＭＩ信号処理部２０は、詳細は後述するが、入力されたＨＤＭＩ規格に準拠したデジタル信号から、映像信号を復元して、セレクタ１５に出力する。また、ＨＤＭＩ信号処理部２０は、デジタル伝送バス１８、デジタル伝送バス２９のＣＥＣ制御ラインよりＣＥＣ情報を取得し、ＣＥＣ情報から接続機器情報を抽出して制御部２３へ通知を行っている。
【００１７】
そして、セレクタ１５は、テレビジョン信号処理部１４から出力される映像信号と、ＡＶ変換部２８から出力される映像信号と、ＨＤＭＩ信号処理部２０から出力される映像信号とを、選択的に切り替えて出力し、映像信号を映像信号処理回路２１に供給する。そして映像信号処理回路２１からの映像信号は、ディスプレイ４０に供給され、映像が再生表示される。
【００１８】
ここで、この画像表示装置１１は、上記した各種の受信動作を含む大部分の動作が制御部２３によって制御されている。この制御部２３は、ＣＰＵ（Ｃｅｎｔｒａｌ  Ｐｒｏｃｅｓｓｉｎｇ  Ｕｎｉｔ）等を内蔵したマイクロプロセッサで構成され、操作部２４からの操作情報を受け、あるいは、リモートコントローラ２５から送出された操作情報を受信部２６を介して受信し、その操作内容が反映されるように各部をそれぞれ制御する。
【００１９】
このとき、制御部２３はメモリ部２７を利用している。すなわち、メモリ部２７は、主として制御部２３のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００２０】
映像信号処理回路２１ではセレクタ１５で選択された信号をディスプレイ４０の画素数に応じてスケーリングを行い、表示画像のオーバースキャン処理、アンダースキャン処理、あるいは、ジャストスキャン処理を行う。その後コントラスト、エンハンサなどの画質補正を行い、ディスプレイ４０へ映像出力を行う。
【００２１】
次に、ＨＤＭＩ信号処理部２０の概略構成について説明する。図２に本発明の実施の形態１における画像表示装置にて用いるＨＤＭＩ信号処理部の構成を示すブロック図を示す。図２に示すように、ＨＤＭＩ信号処理部２０は、ＨＤＭＩ受信回路２０１、ＥＤＩＤメモリＡ２０２、ＥＤＩＤメモリＢ２０３、ＨＤＣＰメモリ２０５、映像信号出力回路２０４、及びサブ制御部２０６を備えている。尚、ＨＤＭＩコネクタ１９とＨＤＭＩ受信回路２０１間と、ＨＤＭＩコネクタ３０とＨＤＭＩ受信回路２０１間は、映像信号を伝送するための高速デジタル伝送路、及び制御情報を伝達するための通信制御バスで接続されている。
【００２２】
ＨＤＭＩ受信回路２０１は高速デジタル伝送路と通信制御バスを介してＨＤＭＩコネクタ１９とＨＤＭＩコネクタ３０より入力されたデジタル信号を選択する機能を持ち、制御部２３により入力信号の切換を行う。
【００２３】
ＥＤＩＤメモリＡ２０２とＥＤＩＤメモリＢ２０３は、例えばディスプレイ４０に関する制御情報を記憶する。ＥＤＩＤは、Ｅｘｔｅｎｄｅｄ  Ｄｉｓｐｌａｙ  Ｉｄｅｎｔｉｆｉｃａｔｉｏｎ  Ｄａｔａの略で、ディスプレイ側（画像表示装置１１）からホスト側（外部接続機器１７、外部接続機器２２）に対し、ディスプレイ側の情報（対応信号フォーマット、解像度、画素数等）を認識させるためのデータである。またＨＤＣＰメモリ２０５は、ＨＤＭＩコネクタＡ１９、ＨＤＭＩコネクタＢ３０を介して入力されるデジタル入力信号のコピープロテクトを制御するためのキーデータを記憶する。尚、ＨＤＣＰは、Ｈｉｇｈ  Ｂａｎｄ  Ｄｉｇｉｔａｌ  Ｃｏｎｔｅｎｔ  Ｐｒｏｔｅｃｔｉｏｎの略である。
【００２４】
また、サブ制御部２０６は、ＨＤＭＩコネクタＡ１９とＨＤＭＩコネクタＢ３０からの信号入力状態を検出する。つまり、サブ制御部２０６は、ＨＤＭＩコネクタＡ１９とＨＤＭＩコネクタＢ３０から信号入力が有るか否かを検出したり、ＣＥＣ（Ｃｏｎｓｕｍｅｒ  Ｅｌｅｃｔｒｏｎｉｃｓ  Ｃｏｎｔｒｏｌ）制御ラインより接続機器情報の抽出等を行ったり、ＨＤＭＩコネクタＡ１９とＨＤＭＩコネクタＢ３０の入力切換を行う。サブ制御部２０６は、メインの制御部２３と交信し、信号入力状態の検出及びメインの制御部２３からの信号選択指示に基づき、セレクタ１５を制御しＨＤＭＩコネクタＡ１９またはＨＤＭＩコネクタＢ３０から供給される入力信号を選択する。
【００２５】
上記のＣＥＣ制御ラインから入力される接続機器情報にはメーカーＩＤと機器種別ＩＤが含まれており、その二つのＩＤを抽出することで接続機器の情報を得ている。機器種別ＩＤにはＤＶＤ、ＳＴＢ、ムービーなどが規格で決められており、その他のものに関してはメーカー間で取り決めを行うことで運用できることになっている。今回の実施例で用いる外部接続機器Ｂ２２のＰＣと本発明の画像表示装置１１は機器種別ＩＤにＰＣ用のＩＤコマンドをもつものを使用している。
【００２６】
次に例として外部接続機器Ａ１７にＤＶＤレコーダ、外部接続機器Ｂ２２にＰＣが接続されている場合について図３のフローチャートと、図４と図５の映像処理のイメージ図に沿って説明する。図３は本発明の実施の形態１における外部接続機器の違いによる処理の違いを表したフローチャートである。また、図４は本発明の実施の形態１における映像を処理した画角処理のイメージ図であり、図５は、本発明の実施の形態１における映像を処理した画質処理のイメージ図である。
【００２７】
画像表示装置１１が外部接続機器の選択として外部接続機器Ａ１７のＤＶＤレコーダを選択している場合、ＨＤＭＩ信号処理部２０はＣＥＣ制御ラインより接続機器情報を抽出し外部接続機器Ａ１７がＤＶＤであることを認識し、その情報を制御部２３へ通知する（ステップＳ３１０）。それを受けて、制御部２３は外部接続機器Ａ１７がＰＣ以外と判断し（ステップＳ３２０のＮＯ）、映像信号処理回路２１のスキャンサイズの設定をオーバースキャンありに設定し（ステップＳ３４３）、画質を動画が最適に再生されるように動画画質処理設定を行う（ステップＳ３４４）。図４（ａ）にオーバースキャンありの場合の映像信号に対するディスプレイ表示領域を示す。また、画質の設定は図５（ａ）にコントラストを例にとり、入力信号レベルに対するディスプレイ４０に表示している出力ドライブレベルを示している。
【００２８】
通常画像表示装置ではＤＶＤや放送で受信した映像の場合ほとんどが動画のソースを想定している。これらＤＶＤや放送で送られてくる動画のソースは受信機器側がオーバースキャンありで表示されることを想定しており、表示領域の端まで映像がなかったり、タイムスタンプや、放送局側で映像を処理する際に出たごみなどが付加されていたりする事が多い。そのため、画像表示装置１１などの受信機器側ではオーバースキャンを行って映像の端をディスプレイ４０の表示領域の外に出し、画面上に表示しない方式がとられている。
【００２９】
図４（ａ）からもわかるようにオーバースキャン処理の場合では映像の周辺部分が画面の外に隠れて表示されていない。
【００３０】
また、画質に関しても動画再生時の見た目がよく見えるように、例えば階調に関してはリニアに再生するのではなく、白などの輝度の高い部分は階調を持ち上げて再生することで明るさ感を強調し、黒などの輝度の低い部分は黒伸張などで黒側に落とすことでコントラスト感を演出するように設定される。絵や文字などの境界部分に関しても境界部分を強調し、エッジを立てたり、細い線なども太く強調したりして映像にメリハリを持たせる処理がなされる。図５（ａ）に例としてコントラストのイメージを示す。図５（ａ）からわかるように入力信号レベルの低い部分つまり、黒に近い部分は入力信号のレベルより、出力ドライブを落とすことで、黒側へ落とし込んでおり、反対に入力信号レベルの高い白に近い部分は出力ドライブを増やすことで輝度を上げている。このような操作を行うことで映像のメリハリが強くなりコントラスト感が強調されている。
【００３１】
しかしながら、動画の表示設定で外部接続機器Ｂ２２のＰＣ信号を入力した場合、ＰＣ信号では主に画面の端に操作アイコンなどの操作部分があるＯＳ（Ｏｐｅｒａｔｉｎｇ  Ｓｙｓｔｅｍ）やプレゼンテーション用の絵柄や図形やテキストなどが入力されるため、ＤＶＤなどの動画の表示設定と同じ処理を行った場合、オーバースキャン処理により画面の端にあるＯＳの操作部分が隠れてしまったり、プレゼンテーション用の絵柄や図形が画質処理により意図するものとは違うように見えたり、テキストの文字がつぶれて読めなくなるなどの不具合が発生する。それを解消するためにユーザーは外部接続機器の切換を行うたびに最適なスキャンサイズになるように画像表示機器のスキャンサイズ設定の操作を行い、更に画質の調整を行う必要があった。
【００３２】
そこで、本実施の形態で、画像表示装置１１が入力機器の選択として外部接続機器Ｂ２２にＰＣが接続された場合について、図１と図３を用いて説明する。
【００３３】
ここで、外部接続機器Ｂ２２のＰＣは、本発明の画像表示装置１１の機器情報をデジタル伝送バス２９のＣＥＣ制御ラインにより認識した場合、本発明の画像表示装置１１のディスプレイ４０の画素数と同じ画素数のフォーマットの信号を出力できるものである。ディスプレイの画素数と映像信号の画素数を合わせると映像信号のスケーリングを行わないために、スケーリングによる画質の劣化を避けることが出来、画質を向上することが出来る。
【００３４】
図３において、外部接続機器Ｂ２２がＰＣの場合、ＨＤＭＩ信号処理部２０はＣＥＣ制御ラインにより接続機器情報を抽出し外部接続機器Ｂ２２がＰＣ信号として処理を行う対象であるメーカーＩＤとＰＣであることを認識し、その情報を制御部２３へ通知する（ステップＳ３１０）。それを受けて、制御部２３は外部接続機器Ａ１７がＰＣと判断し（ステップＳ３２０のＹＥＳ）、受信している信号がＰＣ制御対象フォーマットであるかを判別し、受信信号の画素数が画像表示装置１１のディスプレイ４０の画素数と一致しているか判断する（ステップＳ３３０）。一致している場合はＰＣ制御対象のフォーマットと判断し、制御部２３は映像信号処理回路２１のスキャンサイズの設定を自動で図４（ｂ）に示すようにオーバースキャンなしであるジャストスキャンに設定して、入力された映像のすべてをディスプレイに表示するジャストスキャン処理（ステップＳ３４１）を行う。そして、画質処理は入力された映像を強調処理することなく表示するパソコン用画質処理を行う（ステップＳ３４２）。これによりテキストや図形を最適に表示し、ＰＣで作成したプレゼンテーション資料、画像データなど作成者の意図に応じた画像を自動で再生することが可能となる。
【００３５】
図５（ｂ）に例としてコントラストのイメージを示す。図５（ｂ）の例からもわかるように入力信号レベルに対して出力ドライブレベルを補正なく、リニアに表示することで、ＰＣで作成したプレゼンテーション資料、画像データなど作成者の意図に応じた画像を再生することが出来る。この実施例では画質は階調部分のみしか説明していないが、他にも色の濃さ、色合い、輪郭強調などのパラメータに関してもＤＶＤなどの映像用とＰＣ用では設定を変える必要がある。
【００３６】
このように、本発明の実施の形態では外部接続機器の映像の性格に応じたスキャンサイズの設定と画質の設定を自動で行うことで、最適な設定をユーザーが特に意識することなく実現することが可能となる。
【産業上の利用可能性】
【００３７】
本発明にかかる画像表示装置は、ＨＤＭＩコネクタを介して受信されたデジタル信号から抽出した外部接続機器情報に応答して、自動的に表示画像のスキャンサイズを設定し、最適な画質設定を自動で行うことが出来る画像表示装置を実現することが可能になるので、放送信号を受信して得た映像信号、及びデジタルインターフェースによる信号入力端子からの映像信号による画像を選択的に表示可能にした画像表示装置に係り、特に画像のスキャンサイズと画質設定を自動で最適に表示することを可能にした画像表示装置等として有用である。
【図面の簡単な説明】
【００３８】
【図１】本発明の実施の形態１における画像表示装置のブロック図
【図２】本発明の実施の形態１における画像表示装置にて用いるＨＤＭＩ信号処理部の構成を示すブロック図
【図３】本発明の実施の形態１における外部接続機器の違いによる処理の違いを表したフローチャート
【図４】本発明の実施の形態１における映像を処理した画角処理のイメージ図
【図５】本発明の実施の形態１における映像を処理した画質処理のイメージ図
【符号の説明】
【００３９】
１１    画像表示装置
１２    アンテナ
１３    入力端子
１４    テレビジョン信号処理部
１４ａ    チューナ部
１４ｂ    信号処理部
１５    セレクタ
１６    ＡＶ入力端子
１７    外部接続機器Ａ
１８    デジタル伝送バス
１９    ＨＤＭＩコネクタＡ
２０    ＨＤＭＩ信号処理部
２１    映像信号処理回路
２２    外部接続機器Ｂ
２３    制御部
２４    操作部
２５    リモートコントローラ
２６    受信部
２７    メモリ部
２８    ＡＤ変換部
２９    デジタル伝送バス
３０    ＨＤＭＩコネクタＢ
４０    ディスプレイ
２０１    ＨＤＭＩ受信回路
２０２    ＥＤＩＤメモリＡ
２０３    ＥＤＩＤメモリＢ
２０４    映像信号出力回路
２０５    ＨＤＣＰメモリ
２０６    サブ制御部
【図１】
2009044400.tif 000003
【図２】
2009044400.tif 000004
【図３】
2009044400.tif 000005
【図４】
2009044400.tif 000006
【図５】
2009044400.tif 000007